【手続補正書】
【提出日】平成24年6月22日(2012.6.22)
【手続補正１】
【補正対象書類名】明細書
【補正対象項目名】００１３
【補正方法】変更
【補正の内容】
【００１３】
上記目的を達成するために、本発明のデータ処理装置は、情報処理装置に接続可能なデータ処理装置において、前記データ処理装置に関する情報の通知先を記憶手段に登録する通知先登録手段と、前記記憶手段への通知先の登録を要求する登録要求を前記情報処理装置から受信する受信手段と、前記受信手段によって受信した登録要求から前記通知先を特定するための宛先情報を抽出する抽出手段と、前記抽出手段によって抽出された宛先情報に特定の文字列が含まれているか否かを判定する文字列判定手段と、前記文字列判定手段による判定結果に応じて、登録要求された通知先を登録するか否かを決定する登録可否判定手段と、を有し、前記文字列判定手段によって前記宛先情報に特定の文字列が含まれていると判定された場合、前記登録可否判定手段は前記通知先を前記記憶手段に登録しないと決定し、前記文字列判定手段によって前記宛先情報に特定の文字列が含まれていないと判定された場合、前記登録可否判定手段は前記通知先を前記記憶手段に登録すると決定することを特徴とする。
【手続補正２】
【補正対象書類名】特許請求の範囲
【補正対象項目名】全文
【補正方法】変更
【補正の内容】
【特許請求の範囲】
【請求項１】
情報処理装置に接続可能なデータ処理装置において、
前記データ処理装置に関する情報の通知先を記憶手段に登録する通知先登録手段と、
前記記憶手段への通知先の登録を要求する登録要求を前記情報処理装置から受信する受信手段と、
前記受信手段によって受信した登録要求から前記通知先を特定するための宛先情報を抽出する抽出手段と、
前記抽出手段によって抽出された宛先情報に特定の文字列が含まれているか否かを判定する文字列判定手段と、
前記文字列判定手段による判定結果に応じて、登録要求された通知先を登録するか否かを決定する登録可否判定手段と、を有し、
前記文字列判定手段によって前記宛先情報に特定の文字列が含まれていると判定された場合、前記登録可否判定手段は前記通知先を前記記憶手段に登録しないと決定し、前記文字列判定手段によって前記宛先情報に特定の文字列が含まれていないと判定された場合、前記登録可否判定手段は前記通知先を前記記憶手段に登録すると決定することを特徴とするデータ処理装置。
【請求項２】
前記登録可否判定手段による判定結果を前記情報処理装置に対して返信する応答手段を更に有し、
前記文字列判定手段によって前記宛先情報に特定の文字列が含まれていると判定された場合、前記登録可否判定手段は前記通知先を前記記憶手段に登録しないと決定し、前記応答手段は、前記通知先が登録されなかったことを示す返信を前記情報処理装置に対して送信することを特徴とする請求項１記載のデータ処理装置。
【請求項３】
前記特定の文字列を含む宛先情報を通知先として登録要求した情報処理装置のアドレス情報を記憶するアドレス記憶手段と、
前記登録要求を行なった情報処理装置のアドレス情報を取得するアドレス取得手段と、前記アドレス記憶手段に記憶されたアドレス情報の中に、前記アドレス取得手段によって取得したアドレスが含まれているか否かを判定するアドレス判定手段とをさらに有し、前記アドレス判定手段によって前記情報処理装置のアドレス情報が既に記憶されていると判定された場合、以降の処理を継続せずに、前記登録可否判定手段が前記通知先を前記記憶手段に登録しないと決定することを特徴とする請求項１又は２に記載のデータ処理装置。
【請求項４】
前記アドレス記憶手段に記憶されたアドレス情報の一覧を表示する表示手段と、
前記表示手段に表示されたアドレス情報に対して削除指示を受け付ける操作手段と、
前記操作手段によって削除指示がなされたアドレス情報を前記アドレス記憶手段から削除する削除手段とをさらに備えることを特徴とする請求項３に記載のデータ処理装置。
【請求項５】
情報処理装置に接続可能なデータ処理装置において、
前記データ処理装置に関する情報の通知先を記憶手段に登録する通知先登録手段と、
前記記憶手段への通知先の登録を要求する登録要求を前記情報処理装置から受信する受信手段と、
前記受信手段によって受信した登録要求から前記通知先を特定するための宛先情報を抽出する抽出手段と、
前記抽出手段によって抽出された宛先情報に特定の文字列が含まれているか否かを判定する文字列判定手段と、
前記文字列判定手段による判定結果に応じて、登録要求された通知先を登録するか否かを決定する登録可否判定手段と、
前記情報処理装置に対して返信する応答手段とを有し、
前記文字列判定手段によって前記宛先情報に特定の文字列が含まれていると判定された場合、前記登録可否判定手段は前記通知先を前記記憶手段に登録しないと決定し、前記応答手段は、前記通知先が正常に登録されたことを示す返信を前記情報処理装置に対して送信することを特徴とするデータ処理装置。
【請求項６】
情報処理装置に接続可能なデータ処理装置において、
前記データ処理装置に関する情報の通知先を記憶手段に登録する通知先登録手段と、
前記記憶手段への通知先の登録を要求する登録要求を前記情報処理装置から受信する受信手段と、
前記受信手段によって受信した登録要求から前記通知先を特定するための宛先情報を抽出する抽出手段と、
前記抽出手段によって抽出された宛先情報に特定の文字列が含まれているか否かを判定する文字列判定手段と、
前記文字列判定手段によって前記宛先情報に特定の文字列が含まれていると判定された場合、当該宛先情報から当該特定の文字列を削除して新たな宛先情報を作成する作成手段と、
を有することを特徴とするデータ処理装置。
【請求項７】
前記情報処理装置に対して返信する応答手段を更に有し、
前記文字列判定手段によって前記宛先情報に特定の文字列が含まれていると判定された場合、前記作成手段は前記宛先情報から前記特定の文字列を削除して新たな宛先情報を作成し、前記応答手段は前記宛先情報が前記記憶手段に正常に登録されたことを示す返信を前記情報処理装置に対して送信することを特徴とする請求項６記載のデータ処理装置。
【請求項８】
前記作成手段によって作成された新たな宛先情報宛てに通信が可能か否かを判定する通信可否判定手段をさらに有し、
前記通信可否判定手段は、通信が可能か否かを判定するために、前記宛先情報宛てにメッセージを送信し、通信が不可能であると判定した場合には、前記宛先情報を登録せず、前記応答手段は、宛先情報が登録されなかったことを示す返信を前記情報処理装置に対して送信することを特徴とする請求項７記載のデータ処理装置。
【請求項９】
前記データ処理装置と前記情報処理装置との通信にはＨＴＴＰが使用され、前記宛先情報はＵＲＬであることを特徴とする請求項１乃至８のいずれか１項に記載のデータ処理装置。
【請求項１０】
前記特定の文字列はＵＲＬに含まれるクエリストリングであることを特徴とする請求項１乃至９のいずれか１項に記載のデータ処理装置。
【請求項１１】
情報処理装置に接続可能なデータ処理装置のデータ処理方法において、
前記データ処理装置に関する情報の通知先を記憶手段に登録する通知先登録工程と、
前記記憶手段への通知先の登録を要求する登録要求を前記情報処理装置から受信する受信工程と、
前記受信した登録要求から前記通知先を特定するための宛先情報を抽出する抽出工程と、
前記抽出工程によって抽出された宛先情報に特定の文字列が含まれているか否かを判定する文字列判定工程と、
前記文字列判定工程における判定結果に応じて、登録要求された通知先を登録するか否かを決定する登録可否判定工程と、を有し、
前記文字列判定工程にて前記宛先情報に特定の文字列が含まれていると判定された場合、前記登録可否判定工程にて前記通知先を前記記憶手段に登録しないと決定し、前記文字列判定工程によって前記宛先情報に特定の文字列が含まれていないと判定された場合、前記登録可否判定工程は前記通知先を前記記憶手段に登録すると決定することを特徴とするデータ処理装置のデータ処理方法。
【請求項１２】
情報処理装置に接続可能なデータ処理装置のデータ処理方法において、
前記データ処理装置に関する情報の通知先を記憶手段に登録する通知先登録工程と、
前記記憶手段への通知先の登録を要求する登録要求を前記情報処理装置から受信する受信工程と、
前記受信した登録要求から前記通知先を特定するための宛先情報を抽出する抽出工程と、
前記抽出工程で抽出された宛先情報に特定の文字列が含まれているか否かを判定する文字列判定工程と、
前記文字列判定工程における判定結果に応じて、登録要求された通知先を登録するか否かを決定する登録可否判定工程と、
前記情報処理装置に対して返信する応答工程と、を有し、
前記文字列判定工程にて前記宛先情報に特定の文字列が含まれていると判定された場合、前記登録可否判定工程にて前記通知先を前記記憶手段に登録しないと決定し、前記応答工程にて前記通知先が正常に登録されたことを示す返信を前記情報処理装置に対して送信することを特徴とするデータ処理装置のデータ処理方法。
【請求項１３】
情報処理装置に接続可能なデータ処理装置のデータ処理方法において、
前記データ処理装置に関する情報の通知先を記憶手段に登録する通知先登録工程と、
前記記憶手段への通知先の登録を要求する登録要求を前記情報処理装置から受信する受信工程と、
前記受信工程で受信した登録要求から前記通知先を特定するための宛先情報を抽出する抽出工程と、
前記抽出工程で抽出された宛先情報に特定の文字列が含まれているか否かを判定する文字列判定工程と、
前記文字列判定工程によって前記宛先情報に特定の文字列が含まれていると判定された場合、当該宛先情報から当該特定の文字列を削除して新たな宛先情報を作成する作成工程と、
を備えることを特徴とするデータ処理装置のデータ処理方法。
【請求項１４】
請求項１１乃至１３のいずれか１項に記載のデータ処理方法をコンピュータに実行させるためのコンピュータで読み取り可能なプログラム。